(57)【要約】【課題】画質の劣化を抑えつつメモリのデータ転送量を削減するように画像データを符号化する画像制御装置を提供すること。【解決手段】フォーマット変換部１０は、各画素成分の階調が複数ビットで表現される第１のフォーマットの画像データ２の各画素成分を所定のビットグループに分割し、ビットグループをビット深度に基づいて結合して第２のフォーマットの画像データに変換する。画像符号化部２０は、フォーマット変換された画像データに対して複数の符号化方式で符号化を行ない、符号化データの画質指標に応じて符号化方式を選択して対応する符号化データを出力する。メモリ入力制御部３０は、選択された符号化方式に応じて、第２のフォーマットの画像データを構成する複数の画素成分を格納するメモリ領域を割り当て、複数の画素成分ごとにまとめて格納する。したがって、画質の劣化を抑えつつ、復号化するときのメモリ転送量を削減することが可能となる。【選択図】図１
2010276686.tif 000002
【特許請求の範囲】
【請求項１】
各画素成分の階調が複数ビットで表現される第１のフォーマットの画像データの各画素成分を所定のビットグループに分割し、該ビットグループをビット深度に基づいて結合して第２のフォーマットの画像データに変換するフォーマット変換手段と、
前記フォーマット変換手段によって第２のフォーマットに変換された画像データに対して複数の符号化方式で符号化を行ない、符号化データの画質指標に応じて符号化方式を選択して対応する符号化データを出力する画像符号化手段と、
前記画像符号化手段によって出力される符号化データのメモリへの入力を制御するメモリ入力制御手段とを含む画像制御装置。
【請求項２】
前記第１のフォーマットの画像データは、３つの画素成分によって構成され、
前記第２のフォーマットの画像データは、前記３つの画素成分をそれぞれ上位ビット、中間ビットおよび下位ビットの３つのビットグループに分割し、対応するビットグループを結合して生成された３つの画素成分によって構成される、請求項１記載の画像制御装置。
【請求項３】
前記画像符号化手段は、前記フォーマット変換手段によって前記第２のフォーマットに変換された画像データおよび圧縮率に基づいて、複数の符号化方式で符号化を行なう複数の符号化手段と、
前記複数の符号化手段のそれぞれに対応して設けられ、符号化データの画質指標を算出する複数の画質指標算出手段と、
前記複数の画質指標算出手段によって算出された画質指標を比較して、前記複数の符号化方式の中から画質が最良の符号化方式を選択する比較手段と、
前記比較手段によって選択された符号化方式に対応する符号化データを選択して出力する選択手段とを含む、請求項１または２記載の画像制御装置。
【請求項４】
前記メモリ入力制御手段は、前記画像符号化手段によって選択された符号化方式に応じて、前記第２のフォーマットの画像データを構成する複数の画素成分を格納するメモリ領域を割り当て、前記複数の画素成分ごとにまとめて前記メモリに格納する、請求項１〜３のいずれかに記載の画像制御装置。
【請求項５】
前記画像制御装置はさらに、前記画像符号化手段によって選択された符号化方式および表示フォーマット情報に基づいて、前記メモリに格納される符号化データの中から復号化に必要となる画素成分の符号化データを出力するよう前記メモリを制御するメモリ出力制御手段と、
前記メモリ出力制御手段による制御によって前記メモリから出力される符号化データを復号化する画像復号化手段とを含む、請求項１〜４のいずれかに記載の画像制御装置。
【請求項６】
前記メモリ出力制御手段は、前記表示フォーマット情報に応じて前記メモリに格納される符号化データの中から、上位ビットに対応するビットグループのみの画素成分、上位ビットおよび中間ビットに対応するビットグループの画素成分、またはすべてのビットグループの画素成分のいずれかを出力するよう前記メモリを制御する、請求項５記載の画像制御装置。
【請求項７】
前記画像復号化手段は、前記画像符号化手段によって選択された符号化方式および表示フォーマット情報に基づいて、前記メモリから出力される符号化データを復号化する、請求項５または６記載の画像制御装置。
【発明の詳細な説明】
【技術分野】
【０００１】
本発明は、画像データの符号化および復号化に関し、特に、画質の劣化を抑えつつ画像データの任意の位置の画素値を取り出せるように画像データを符号化し、その符号化データを復号化する画像制御装置に関する。
【背景技術】
【０００２】
近年、情報処理装置の高機能化、多機能化が進んでおり、それに搭載される画像制御装置に要求される機能も多様化してきている。たとえば、その１つとして低画質の表示と高画質の表示との間の変換を実現するためのＲＧＢフォーマットの変換機能を挙げることができる。これに関連する技術として、下記の特許文献１に開示された発明がある。
【０００３】
特許文献１に開示された発明は、メモリの使用効率の向上やアドレッシングの簡素化を図れるメモリコントローラ、表示コントローラおよびメモリ制御方法を提供することを目的とする。メモリコントローラは、分割部と、アドレスジェネレータとを含む。
【０００４】
分割部は、第１の色成分のビット数がＩ１ビット、第２の色成分のビット数がＩ２ビット、第３の色成分のビット数がＩ３ビットである画素データが入力された場合に、入力された画素データを、第１の色成分のビット数がＪ１ビット、第２の色成分のビット数がＪ２ビット、第３の色成分のビット数がＪ３ビットとなる基本データ部分（Ｊ１＋Ｊ２＋Ｊ３＝２M）と、第１の色成分のビット数がＫ１ビット、第２の色成分のビット数がＫ２ビット、第３の色成分のビット数がＫ３ビットとなる拡張データ部分（Ｋ１＋Ｋ２＋Ｋ３＝２N）とに分割する。
【０００５】
また、アドレスジェネレータは、メモリの基本データ格納領域に基本データ部分を書き込み、拡張データ格納領域に拡張データ部分を書き込むためのアクセスアドレスを生成する。
【０００６】
そして、低画質の表示要求がある場合には、基本データ部分のみを読み出して表示を行なう。また、高画質の表示要求がある場合には、基本データ部分と拡張データ部分とを読み出して表示を行なう。これによって、低画質表示の場合の画像データ転送量を削減することができる。
【０００７】
さらに、画像データのビットグループの分割法およびビットグループのメモリへの格納法を制御することにより、メモリの使用効率およびメモリアクセスのアドレッシングを容易に行なうことができる。
【０００８】
一方、下記の非特許文献１は、ＪＰＥＧ（Joint Photographic Experts Group）の符号化方式および復号化方式を規定している。ＪＰＥＧにおいては、画像データを符号化する場合には、画像を８×８画素のブロックに分割し、そのブロック単位で離散コサイン変換を行なって画像データを空間領域から周波数領域に変換する。そして、変換されたデータを量子化によって情報量を削減し、ハフマン符号を用いたエントロピー符号化によってデータの生起確率の高低に応じた異なる長さの符号を割り当てて、いわゆる可変長符号化を行なう。また、符号化された画像データを復号化する場合には、画像データの符号化の逆手順を実行する。
【０００９】
また、下記の非特許文献２は、標準テレビ放送向けの規格を規定しており、ＮＴＳＣ（National Television System Committee）、ＰＡＬ（Phase Alternation by Line）などに対応し、画面のアスペクト比４：３および１６：９に対応する。色成分としては、ＲＧＢ４：４：４と色差（Ｙ，Ｃｂ，Ｃｒ）４：２：２とが規定されている。
【先行技術文献】
【特許文献】
【００１０】
【特許文献１】特開２００６−１８４７９２号公報
【非特許文献】
【００１１】
【非特許文献１】国際標準規格  ＩＳＯ／ＩＥＣ  １０９１８：１９９４
【非特許文献２】ＩＴＵ−Ｒ  ＢＴ．６０１規格
【発明の概要】
【発明が解決しようとする課題】
【００１２】
上述の特許文献１は、ＲＧＢフォーマットの画像データを所定のビットグループに分割して基本データ部分と拡張データ部分とを生成してメモリに格納する。しかしながら、フォーマット変換を行なった画像データをすべてメモリに格納しているため、高解像度の画像データを扱う場合には、メモリ容量が膨大になってしまうといった問題があった。
【００１３】
また、非特許文献１に規定されるＪＰＥＧを用いて画像データを符号化した場合、処理が複雑なため処理時間が長くなってしまう。また、可変長符号化を用いているため、任意の位置の画像データと符号化データとが１対１に対応していない。そのため、任意の位置の画像データを得るためには、一定範囲の符号化データを復号化してその画像データを得なければならず、処理が複雑になったり、処理時間が長くなったりするといった問題があった。
【００１４】
本発明は、上記問題点を解決するためになされたものであり、その目的は、画質の劣化を抑えつつメモリのデータ転送量を削減するように画像データを符号化する画像制御装置を提供することである。
【課題を解決するための手段】
【００１５】
本発明の一実施例によれば、画像データを符号化してメモリに格納する画像制御装置が提供される。フォーマット変換部は、各画素成分の階調が複数ビットで表現される第１のフォーマットの画像データの各画素成分を所定のビットグループに分割し、ビットグループをビット深度に基づいて結合して第２のフォーマットの画像データに変換する。画像符号化部は、フォーマット変換部によって第２のフォーマットに変換された画像データに対して複数の符号化方式で符号化を行ない、符号化データの画質指標に応じて符号化方式を選択して対応する符号化データを出力する。メモリ入力制御部は、画像符号化部によって選択された符号化方式に応じて、第２のフォーマットの画像データを構成する複数の画素成分を格納するメモリ領域を割り当て、複数の画素成分ごとにまとめて符号化データ用メモリに格納する。
【発明の効果】
【００１６】
本発明の一実施例によれば、画像符号化部が、フォーマット変換部によって第２のフォーマットに変換された画像データに対して複数の符号化方式で符号化を行ない、符号化データの画質指標に応じて符号化方式を選択するので、画質の劣化を抑えることが可能となる。また、メモリ入力制御部は、画像符号化部によって選択された符号化方式に応じて、第２のフォーマットの画像データを構成する複数の画素成分を格納するメモリ領域を割り当て、複数の画素成分ごとにまとめて符号化データ用メモリに格納するので、復号化するときのメモリ転送量を削減することが可能となる。
【図面の簡単な説明】
【００１７】
【図１】本発明の第１の実施の形態における画像制御装置の概略構成を示すブロック図である。
【図２】フォーマット変換部１０によるフォーマット変換を説明するための図である。
【図３】画像符号化部２０の構成例を示す図である。
【図４】符号化部によって行なわれる符号化方式の種類を説明するための図である。
【図５】図４に示す間引き方式を説明するための図である。
【発明を実施するための形態】
【００１８】
（第１の実施の形態）
図１は、本発明の第１の実施の形態における画像制御装置の概略構成を示すブロック図である。この画像制御装置１は、外部から入力された元画像データ２を符号化し、符号化データを復号化してその復号化画像データ３を外部に出力するものであり、フォーマット変換部１０と、画像符号化部２０と、メモリ入力制御部３０と、符号化データ用メモリ４０と、符号化方式情報用メモリ５０と、メモリ出力制御部６０と、画像復号化部７０とを含む。
【００１９】
図２は、フォーマット変換部１０によるフォーマット変換を説明するための図である。図２（ａ）は、元画像データ２を示しており、一例としてＲＧＢ８８８フォーマットの場合を示している。図２（ａ）においては、ＲＧＢ成分を“ａ”〜“ｉ”の９個のビットグループに分割している。
【００２０】
Ｒ成分は、上位３ビットの“ａ”と、中間２ビットの“ｂ”と、下位３ビットの“ｃ”とに分割される。Ｇ成分は、上位３ビットの“ｄ”と、中間３ビットの“ｅ”と、下位２ビットの“ｆ”とに分割される。また、Ｂ成分は、上位２ビットの“ｇ”と、中間３ビットの“ｈ”と、下位３ビットの“ｉ”とに分割される。
【００２１】
図２（ｂ）は、フォーマット変換後の画像データの一例を示しており、分割したビットグループをビット深度に基づいて結合することにより生成される。Ｕ成分は、ＲＧＢ成分の各上位ビットを結合して生成されており、“ａ”と“ｄ”と“ｇ”とで構成される。Ｃ成分は、ＲＧＢ成分の各中間ビットを結合して生成されており、“ｂ”と“ｅ”と“ｈ”とで構成される。また、Ｌ成分は、ＲＧＢ成分の各下位ビットを結合して生成されており、“ｃ”と“ｆ”と“ｉ”とで構成される。
【００２２】
図２（ｂ）に示すように、ＲＧＢ８８８フォーマットのビットマップ画像をＵＣＬ８８８フォーマットに変換することにより、Ｕ成分のみでＲＧＢ３３２フォーマットを表現することができる。また、Ｕ成分とＣ成分とでＲＧＢ５６５フォーマット、ＲＧＢ３３３フォーマット、ＲＧＢ４４４フォーマットなどを表現することができる。もちろん、ＵＣＬ成分すべてでＲＧＢ８８８フォーマットも表現することができる。なお、ビットグループの分割数、結合の組み合わせ方、結合後の成分数などは図２に示すものに限られるものではなく、任意の数や組み合わせを選択することができる。
【００２３】
画像符号化部２０は、フォーマット変換部１０によって生成されたＵＣＬフォーマットの画像データを任意の圧縮率で符号化を行なう。
【００２４】
図３は、画像符号化部２０の構成例を示す図である。この画像符号化部２０は、圧縮率２１およびフォーマット変換部１０から出力された画像データ２２を受けて符号化を行ない、符号化方式情報２３および符号化データ２４を出力するものであり、符号化部Ａ〜Ｄ（２００〜２０３）と、ＰＳＮＲ算出部Ａ〜Ｄ（２１０〜２１３）と、フレームバッファＡ〜Ｄ（２２０〜２２３）と、比較器２３０と、マルチプレクサ２４０とを含む。
【００２５】
符号化部Ａ〜Ｄ（２００〜２０３）は、圧縮率２１および画像データ２２を受け、画像データ２２に対してそれぞれ異なる方式の符号化を行なう。
【００２６】
ＰＳＮＲ算出部Ａ〜Ｄ（２１０〜２１３）は、符号化部Ａ〜Ｄ（２００〜２０３）のそれぞれに対応して設けられており、符号化部Ａ〜Ｄ（２００〜２０３）から出力された符号化データの画質指標ＰＳＮＲ（Peak Signal to Noise Rate）を算出して比較器２３０に出力すると共に、符号化データをそれぞれフレームバッファＡ〜Ｄ（２２０〜２２３）に格納する。なお、画質を判定するための画質指標として、ＳＳＩＭ（Structural Similarity）などのようなＰＳＮＲ以外の方式を用いることも可能である。
【００２７】
比較器２３０は、ＰＳＮＲ算出部Ａ〜Ｄ（２１０〜２１３）から出力されるＰＳＮＲ値を比較することにより各符号化データの画質を判定し、最もＰＳＮＲ値が良い符号化方式に関する情報を２ビットの符号化方式情報２３としてマルチプレクサ２４０および符号化方式情報用メモリ５０に出力する。
【００２８】
マルチプレクサ２４０は、比較器２３０から出力される符号化方式情報２３を受け、フレームバッファＡ〜Ｄ（２２０〜２２３）に格納される４つの符号化データの中から、符号化方式情報２３に対応する符号化データを選択して符号化データ２４として出力する。
【００２９】
図３に示す画像符号化部２０においては、１組の符号化部、ＰＳＮＲ算出部およびフレームバッファで１つの符号化方式に対応した符号化処理を行ない、これを４並列にすることによって４種類の符号化方式による符号化処理を並列に行なっている。なお、符号化部、ＰＳＮＲ算出部およびフレームバッファの組の数を増減することによって並列数を変更することも可能である。さらに、１組の符号化部、ＰＳＮＲ算出部およびフレームバッファによって複数の符号化方式に対応する処理をパイプライン処理するようにしてもよい。
【００３０】
図４は、符号化部によって行なわれる符号化方式の種類を説明するための図である。また、図５は、図４に示す間引き方式を説明するための図である。図４においては、一例として圧縮率２／３が指定されたときを示しており、間引きによって画像データを圧縮する場合を示している。図４においては、ＵＣＬの各成分に対して間引きを行なわない場合は“４”を、１／２の間引きを行なう場合は“２”を記載している。
【００３１】
図４に示す符号化方式（１）〜（３）は、複数画素の中の１つの画素の値を代表とし、この画素の値を複数画素のすべての値として用いる間引き方式である。ＵＣＬの中の２成分に対して１／２の代表間引きを行なうことにより画像データを全体として２／３に圧縮する。
【００３２】
図５（ａ）は、代表間引きを行う場合の一例を示しており、４つの画素の値“α”、“β”、“γ”、“δ”の中から“α”が代表として選択され、４つの画素のすべての値として“α”が用いられる場合を示している。
【００３３】
図４に示す符号化方式（４）〜（６）は、複数画素の値の平均値を成分単位で計算して、この平均値を複数画素の成分ごとの値として用いる間引き方式である。ＵＣＬの中の２成分に対して１／２の平均間引きを行なうことにより画像データを全体として２／３に圧縮する。
【００３４】
図５（ｂ）は、成分単位で平均間引きを行なう場合の一例を示しており、４つの画素の値“α”、“β”、“γ”、“δ”の平均値“ε”を計算し、４つの画素のすべての値として“ε”が用いられる場合を示している。
【００３５】
図４に示す符号化方式（７）〜（９）は、複数画素の値の平均値をビットグループ単位で計算して、この平均値を結合して複数画素の成分ごとの値として用いる間引き方式である。ＵＣＬの中の２成分に対して１／２の平均間引きを行なうことにより画像データを全体として２／３に圧縮する。
【００３６】
図５（ｃ）は、ビットグループ単位で平均間引きを行なう場合の一例を示しており、Ｌ成分に対する平均間引きを示している。４つの画素“α”、“β”、“γ”、“δ”のＬ成分のビットグループ単位で平均値が計算される。
【００３７】
たとえば、図２（ｂ）に示すＬ成分の“ｃ”に対応するビットグループの平均値を計算する場合には、４つの画素の“α＿ｃ”、“β＿ｃ”、“γ＿ｃ”、“δ＿ｃ”の平均値である“ζ＿ｃ”が計算される。同様にして、Ｌ成分の“ｆ”に対応するビットグループの平均値“ζ＿ｆ”と、Ｌ成分の“ｉ”に対応するビットグループの平均値ζ＿ｉ”とが計算される。これら“ζ＿ｃ”、“ζ＿ｆ”およびζ＿ｉ”が結合されて平均値“ζ”が生成される。
【００３８】
メモリ入力制御部３０は、画像符号化部２０から出力される符号化方式情報２３を参照してＵＣＬ各成分の符号化データ量を判定し、その符号化データ量に応じてメモリ領域に空きができないようにメモリ領域の割り付けを行ない、符号化データ用メモリ４０に対するアドレスを生成して出力することにより符号化データ２４を効率的に格納する。
【００３９】
たとえば、図４に示す符号化方式（１）が選択された場合、Ｕ成分が間引きされておらず、Ｃ成分およびＬ成分が１／２に間引きされている。このとき、メモリ入力制御部３０は、Ｕ成分を格納するメモリ領域に対して、Ｃ成分を格納するメモリ領域およびＬ成分を格納するメモリ領域をそれぞれ１／２として割り当て、Ｕ成分、Ｃ成分およびＬ成分をそれぞれのメモリ領域にまとめて格納するようにアドレッシングを行なって符号化データ用メモリ４０に格納する。
【００４０】
メモリ出力制御部６０は、符号化方式情報用メモリ５０に格納される符号化方式情報２３および表示フォーマット情報８０を参照して、符号化データ用メモリ４０に格納される符号化データの出力を制御する。
【００４１】
たとえば、表示フォーマット情報８０がＲＧＢ３３２フォーマットを示していれば、メモリ出力制御部６０は、符号化方式情報２３に基づいて符号化データ用メモリ４０からＵ成分だけを読み出すようにアドレスを生成し、符号化データ用メモリ４０に出力する。
【００４２】
また、表示フォーマット情報８０がＲＧＢ５６５フォーマットを示していれば、メモリ出力制御部６０は、符号化方式情報２３に基づいて符号化データ用メモリ４０からＵ成分とＣ成分とを読み出すようにアドレスを生成し、符号化データ用メモリ４０に出力する。
【００４３】
このように、ＵＣＬフォーマットの各成分をまとめて符号化データ用メモリ４０に格納しておき、メモリ出力制御部６０が表示フォーマットに必要な符号化データのみを符号化データ用メモリ４０から読み出すことで、符号化データ用メモリ４０のデータ転送量を削減する。
【００４４】
画像復号化部７０は、符号化方式情報用メモリ５０に格納される符号化方式情報２３および表示フォーマット情報８０を参照して、符号化データ用メモリ４０から出力される符号化データを復号化して復号化画像データ３を外部に出力する。たとえば、図４に示す符号化方式（１）で画像データが符号化されている場合、間引きされているＣ成分およびＬ成分に代表値を与えることにより画像データを復号化する。
【００４５】
以上説明したように、本実施の形態における画像制御装置によれば、フォーマット変換部１０が、ＲＢＧフォーマットなどのように各画素成分の階調が複数ビットで表現されるフォーマットの画像データを所定のビットグループに分割する。そして、ビットグループをビット深度に応じて結合してＵＣＬ成分を生成し、成分ごとにまとめてメモリに格納するようにしたので、ＲＧＢ３３２フォーマットやＲＧＢ５６５フォーマットなどのような表示フォーマットの画像データを読み出すときに、メモリ転送量を削減することが可能となった。
【００４６】
また、画像符号化部２０が、フォーマット変換された画像データに対して複数の符号化方式に対応する符号化を行ない、最も画質が良いと判定された符号化データを選択するようにしたので、同一の符号化データ量で符号化を行ないつつ画質の劣化を防止することが可能となった。
【００４７】
また、画像符号化部２０が、圧縮率２１に応じて画像データ全体に対して同一の間引き率で間引きを行なって符号化を行なうようにしたので、画像データの任意の位置と符号化データとの対応が１対１となり、任意の位置の画像データを容易に取得することができる。したがって、組み込み型表示機器の処理としてよく利用されるＢｉｔＢＬＴ（Bit Block Transfer）処理などのような、任意点の画像データの読み書きが頻繁に発生する処理で利用することができる。
【００４８】
また、メモリ入力制御部３０が、符号化方式情報２３に応じてＵＣＬ各成分の符号化データ量を判定し、その符号化データ量に応じてメモリ領域を割り当てるようにしたので、符号化データを効率的にメモリに格納することが可能となった。
【００４９】
また、メモリ出力制御部６０が、符号化方式情報２３および表示フォーマット情報８０に応じて必要な符号化データのみを読み出すようにしたので、メモリのデータ転送量を削減することが可能となった。
【００５０】
また、画像復号化部７０が、符号化方式情報２３および表示フォーマット情報８０に応じて復号化を行なうようにしたので、ＪＰＥＧなどのような複雑な復号化処理が不要となり、処理時間を短縮することが可能となった。
【００５１】
（第２の実施の形態）
第１の実施の形態においては、画像制御装置を構成するフォーマット変換部１０、画像符号化部２０、メモリ入力制御部３０、メモリ出力制御部６０、および画像復号化部７０がハードウェアによって実現されるとして説明した。
【００５２】
本発明の第２の実施の形態においては、画像制御装置の構成部分の一部をソフトウェアによって置換するものである。たとえば、組み込み型表示機器のソース画像として本実施の形態における画像制御装置によって符号化した符号化データを用いる場合を考える。
【００５３】
組み込み型表示機器で使用するソース画像データは、事前に生成してメモリに格納しておけばよく、画像の符号化処理にリアルタイム性が要求されない場合が多い。そこで、本実施の形態においては、図１に示す画像制御装置の構成のうち、フォーマット変換部１０、画像符号化部２０およびメモリ入力制御部３０をソフトウェアで実現し、それ以外の構成部分を専用のハードウェアで実装する。ソフトウェアで実現する構成部分については、図示しないＣＰＵ（Central Processing Unit）がメモリに記憶されるプログラムを実行することによって実現する。
【００５４】
画像符号化部２０による画像符号化には時間的制約がないため、符号化方式の種類を増加させたり、画質指標として処理量は多いが精度の高いＳＩＭＭなどの方式を使用したりできる。そのため、事前により多くの符号化方式で画像データを符号化した後、その画質を精度の高い画質指標を用いて評価でき、より高画質でデータ量の少ないソース画像データを生成することができる。
【００５５】
以上説明したように、本実施の形態における画像制御装置によれば、フォーマット変換部１０、画像符号化部２０およびメモリ入力制御部３０をソフトウェアで実現し、それ以外の構成部分をハードウェアで実装するようにした。そのため、第１の実施の形態において説明した効果に加えて、組み込み型表示機器における復号化処理をリアルタイムで行なうことができると共に、組み込み型表示機器のソース画像データ用のメモリを削減することが可能となった。
【００５６】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１  画像制御装置、２  元画像データ、３  復号化画像データ、１０  フォーマット変換部、２０  画像符号化部、２１  圧縮率、２２  画像データ、２３  符号化方式情報、２４  符号化データ、３０  メモリ入力制御部、４０  符号化データ用メモリ、５０  符号化方式情報用メモリ、６０  メモリ出力制御部、７０  画像復号化部、８０  表示フォーマット情報、２００〜２０３  符号化部、２１０〜２１３  ＰＳＮＲ算出部、２２０〜２２３  フレームバッファ、２３０  比較器、２４０  マルチプレクサ。
【図１】
2010276686.tif 000003
【図２】
2010276686.tif 000004
【図３】
2010276686.tif 000005
【図４】
2010276686.tif 000006
【図５】
2010276686.tif 000007